(57)【要約】  この出願の実施形態は、光ファイバサブアセンブリ及び光ファイバコネクタを開示する。当該光ファイバサブアセンブリは、屋外で使用されることができ、プラグ・アンド・プレイのために現場で組み立てられ得る。さらに、当該光ファイバサブアセンブリの光ケーブルの長さは、工事現場で柔軟に設定さることができ、それによって光ケーブルを節約する助けとなるとともに簡便で速い組み立てを実現する。当該光ファイバサブアセンブリは、ハンドル、リアリテーナ、光ケーブル、ＦＭＣアセンブリ、スピンドル、及び保護フードを含む。光ケーブルの端部がＦＭＣアセンブリに接続され、光ケーブルはＦＭＣアセンブリの第１端から突出する。ＦＭＣアセンブリはフェルールを含み、該フェルールはＦＭＣアセンブリの第２端に設けられる。スピンドルがＦＭＣアセンブリの第１端の外側にスリーブされ、保護フードがＦＭＣアセンブリの第２端の外側にスリーブされ、保護フードがスピンドルに固定接続される。保護フードから離れたスピンドルの端部がリアリテーナに接続され、保護フードから離れたスピンドルの端部は、光ケーブルを留めるのに使用される。ハンドルが、保護フード及びスピンドルの外側にスリーブされる。
2022500696.tif 000002
【特許請求の範囲】
【請求項１】
光ファイバサブアセンブリであって、ハンドル、リアリテーナ、光ケーブル、現場取り付け可能コネクタＦＭＣアセンブリ、スピンドル、及び保護フードを有し、
前記光ケーブルの端部が前記ＦＭＣアセンブリに接続され、前記光ケーブルは前記ＦＭＣアセンブリの第１端から突出し、前記ＦＭＣアセンブリはフェルールを有し、該フェルールは前記ＦＭＣアセンブリの第２端に設けられ、
前記スピンドルが前記ＦＭＣアセンブリの前記第１端の外側にスリーブされ、前記保護フードが前記ＦＭＣアセンブリの前記第２端の外側にスリーブされ、前記保護フードが前記スピンドルに固定接続され、
前記保護フードから離れた前記スピンドルの端部が前記リアリテーナに接続され、前記保護フードから離れた前記スピンドルの前記端部は、前記光ケーブルを留めるのに使用され、
前記ハンドルが、前記保護フード及び前記スピンドルの外側にスリーブされる、
光ファイバサブアセンブリ。
【請求項２】
前記保護フードは、フード本体と、該フード本体の端部を延ばすことによって形成された固定スリーブとを有し、該固定スリーブが前記スピンドルに挿入され、前記ＦＭＣアセンブリが前記固定スリーブ及び前記フード本体を貫通し、前記フード本体が前記フェルールの外側にスリーブされる、請求項１に記載の光ファイバサブアセンブリ。
【請求項３】
前記保護フードから離れた前記スピンドルの前記端部の内壁がシャフトショルダを有し、前記ＦＭＣアセンブリの前記第１端が前記シャフトショルダに押し当たる、請求項１又は２に記載の光ファイバサブアセンブリ。
【請求項４】
前記保護フードから離れた前記スピンドルの前記端部が、被固定部分と、該被固定部分の端面を延ばすことによって形成された圧着構造とを有し、前記被固定部分及び前記圧着構造が前記光ケーブルの外側にスリーブされ、前記被固定部分の外壁が外ねじ山を有し、前記リアリテーナの内壁が内ねじ山を備え、前記リアリテーナは前記被固定部分及び前記圧着構造の外側にスリーブされ、前記リアリテーナ上の前記内ねじ山が前記被固定部分の前記外ねじ山にねじ込まれることで前記圧着構造が前記光ケーブルを留める、請求項１乃至３のいずれか一項に記載の光ファイバサブアセンブリ。
【請求項５】
前記圧着構造は、少なくとも２つのカンチレバーを有し、該少なくとも２つのカンチレバーの固定端が前記被固定部分に接続され、前記少なくとも２つのカンチレバーの可動端の内壁に突起構造が形成され、前記少なくとも２つのカンチレバーの前記可動端が、前記光ケーブルをきつく押圧するために使用される、請求項４に記載の光ファイバサブアセンブリ。
【請求項６】
前記固定スリーブの外径が前記フード本体の外径よりも小さい、請求項１乃至５のいずれか一項に記載の光ファイバサブアセンブリ。
【請求項７】
前記スピンドルに第１の固定構造が設けられ、前記保護フードに第２の固定構造が設けられ、前記第１の固定構造と前記第２の固定構造とがバックル留めを介して固定接続される、請求項１乃至６のいずれか一項に記載の光ファイバサブアセンブリ。
【請求項８】
前記第１の固定構造はスナップクリップであり、且つ前記第２の固定構造はカードスロットである、又は
前記第１の固定構造はスナップスロットであり、且つ前記第２の固定構造はスナップクリップである、
請求項７に記載の光ファイバサブアセンブリ。
【請求項９】
前記第１の固定構造は、前記保護フードに面する前記スピンドルの端面に設けられたスナップクリップであり、前記第２の固定構造は、前記固定スリーブに近い前記フード本体の前記端部に設けられたスナップスロットである、請求項８に記載の光ファイバサブアセンブリ。
【請求項１０】
当該光ファイバサブアセンブリは更にピンを有し、前記第１の固定構造は第１のジャックであり、前記第２の固定構造は第２のジャックであり、前記ピンが前記第１のジャック及び前記第２のジャックに挿入されるように構成される、請求項７に記載の光ファイバサブアセンブリ。
【請求項１１】
当該光ファイバサブアセンブリは更にスナップスプリングを有し、前記第１の固定構造は第１の溝であり、前記第２の固定構造は第２の溝であり、前記スナップスプリングが前記第１の溝及び前記第２の溝に挿入されるように構成される、請求項７に記載の光ファイバサブアセンブリ。
【請求項１２】
前記保護フードに面する前記スピンドルの端面が、接着剤を用いることによって、前記固定スリーブに近い前記フード本体の端面に接着される、請求項１乃至請求項６のいずれか一項に記載の光ファイバサブアセンブリ。
【請求項１３】
前記保護フードに面する前記スピンドルの端面に位置決めキーが設けられ、且つ前記固定スリーブに近い前記フード本体の端面に位置決めスロットが設けられ、又は、前記保護フードに面する前記スピンドルの端面に位置決めスロットが設けられ、且つ前記固定スリーブに近い前記フード本体の端面に位置決めキーが設けられ、且つ
前記位置決めキーが前記位置決めスロットに挿入される、
請求項１乃至１２のいずれか一項に記載の光ファイバサブアセンブリ。
【請求項１４】
前記ＦＭＣアセンブリに対して前記固定スリーブが回転することを防止するために、前記固定スリーブの内部キャビティが前記ＦＭＣアセンブリと一致する、請求項１乃至１３のいずれか一項に記載の光ファイバサブアセンブリ。
【請求項１５】
前記スピンドルから離れた前記保護フードの端部の断面がＣ字形にされるよう、前記スピンドルから離れた前記保護フードの前記端部に開口が設けられている、請求項１乃至１４のいずれか一項に記載の光ファイバサブアセンブリ。
【請求項１６】
前記ＦＭＣアセンブリに近い前記光ケーブルの端部の外側に光ケーブルシールリングが設けられ、前記保護フードに近い前記スピンドルの端部の外側にスピンドルシールリングが設けられている、請求項１乃至１５のいずれか一項に記載の光ファイバサブアセンブリ。
【請求項１７】
光ファイバサブアセンブリであって、請求項１乃至１６のいずれか一項に記載の光ファイバサブアセンブリと、
アダプタであり、当該アダプタの端部にキャビティと該キャビティを取り囲むスロットとが設けられたアダプタと、
を有し、
前記光ファイバサブアセンブリのＦＭＣアセンブリの第２端が前記アダプタの前記キャビティに挿入され、前記光ファイバサブアセンブリの保護フードが前記スロットに挿入される、
光ファイバコネクタ。
【発明の詳細な説明】
【技術分野】
【０００１】
この出願は、２０１９年７月２６日に中国国家知的所有権管理局に出願された「光ファイバサブアセンブリ及び光ファイバコネクタ」と題された中国特許出願第２０１９１０６８３５７７．Ｘ号に対する優先権を主張するものであり、その全体をここに援用する。
この出願は、光通信技術の分野に関し、特に、光ファイバサブアセンブリ及び光ファイバコネクタに関する。
【背景技術】
【０００２】
現代社会の発展及び情報の爆発的増加に伴い、人は、ネットワークスループット能力に対してますます高い要求を課している。光伝送は、例えば超高帯域幅及び低電磁干渉などの特有の特徴を有し、次第に、現代の通信の主流のソリューションになっている。特に、例えば、ファイバ・トゥ・ザ・ホーム（fiber  to  the  home，ＦＴＴＨ）によって表されるアクセスネットワークなどの、現段階で構築されている新しいネットワークが、大規模に展開されつつある。
【０００３】
ファイバ・トゥ・ザ・ホームネットワークの構築においては、光加入者線端局装置（optical  line  terminal，ＯＬＴ）とユーザのアクセス端子箱（access  terminal  box，ＡＴＢ）との間で、フィーダ光ケーブル、配線光ケーブル、ドロップケーブルを順に配線する必要がある。ドロップケーブルは、ファイバ分配箱をアクセス端子箱に接続するために使用される。ＦＴＴＨネットワークのドロップケーブルのレイアウトにおいて、１つの方法はスプライシングである。具体的には、各世帯に対応する光ファイバ端子がファイバ分配箱内で割り当てられ、各世帯の光ファイバ端子とドロップケーブルとが、ファイバ分配箱内で光ファイバスプライサによって継ぎ合わされ、そして、ドロップケーブルが各世帯に配線される。ドロップケーブルの他端で、ドロップケーブルを各世帯のアクセス端子箱に接続するために、現場でのスプライシングも行う必要がある。この方法から生じる１つの問題は、専用の光ファイバスプライシング装置が必要とされ、それにより、作業者の技能に比較的高い要件を課すとともに、作業プロセスを複雑で都合の悪いものにしてしまうことである。
【発明の概要】
【０００４】
この出願の実施形態は、光ファイバサブアセンブリが屋外でのアダプタとのプラグ・アンド・プレイに都合がよいものであり、作業が、簡単で、速くて、安全で、信頼性あるものであるような、光ファイバサブアセンブリ及び光ファイバコネクタを提供する。
【０００５】
第１の態様によれば、この出願の一実施形態は、ハンドル、リアリテーナ（rear  retainer）、光ケーブル、現場取り付け可能コネクタ（field  mountable  connector，ＦＭＣ）アセンブリ、スピンドル、及び保護フード、を含む光ファイバサブアセンブリを提供する。光ケーブルの端部がＦＭＣアセンブリに接続され、光ケーブルはＦＭＣアセンブリの第１端から突出する。ＦＭＣアセンブリはフェルールを含み、該フェルールはＦＭＣアセンブリの第２端に設けられる。スピンドルがＦＭＣアセンブリの第１端の外側にスリーブされ、保護フードがＦＭＣアセンブリの第２端の外側にスリーブされ、保護フードがスピンドルに固定接続される。保護フードから離れたスピンドルの端部がリアリテーナに接続され、保護フードから離れたスピンドルの端部は、光ケーブルを留めるのに使用される。ハンドルが、保護フード及びスピンドルの外側にスリーブされる。
【０００６】
この実装において、この出願のこの実施形態における光ファイバサブアセンブリでは、ＦＭＣアセンブリを用いることによって光ケーブルが接続される。従って、顧客によって必要とされる又は組み立て現場で実際に必要とされる光ケーブル長に基づく融通性ある切断を通じて、組み立て要員により、実際に必要とされる長さの光ケーブルを得ることができる。トリミングされた光ケーブル端子が、組み立て現場で組み立てられ得る。例えば、先ずＦＭＣアセンブリを組み立て、次いで、ハンドル、リアリテーナ、スピンドル、保護フードなどをＦＭＣアセンブリと組み立てることで、光ファイバサブアセンブリを現場で組み立て得る。分かることには、この実施形態における光ファイバサブアセンブリの光ケーブルの長さは、工事現場で柔軟に設定されることができ、それによって光ケーブルを節約する助けとなるとともに、簡便で速い組み立てを実現する。さらに、スピンドル、保護フード、ハンドル、及びリアリテーナがＦＭＣアセンブリの外側にスリーブされることで、光ファイバサブアセンブリが組み立てられ、その結果、ＩＰ６８保護クラスを満足するようにＦＭＣアセンブリを保護することができる。ＦＭＣアセンブリが効果的に保護され、それ故に、この光ファイバサブアセンブリは屋外でのアダプタとのプラグ・アンド・プレイに好都合であり、作業が、簡単で、速くて、安全で、信頼性あるものとなる。さらに、ＦＭＣアセンブリを用いた光ファイバサブアセンブリは現場で組み立て及び分解されることができるので、使用中にフェルール又はＦＭＣアセンブリが損傷した場合に、光ケーブルを含む光ファイバサブアセンブリ全体を交換することなく、ＦＭＣアセンブリのみを交換すればよく、それにより、その後のメンテナンス費用が大幅に削減され、コストが低減される。
【０００７】
オプションで、一部の可能な実装において、保護フードは、フード本体と、該フード本体の端部を延ばすことによって形成された固定スリーブとを含む。固定スリーブがスピンドルに挿入され、ＦＭＣアセンブリが固定スリーブ及びフード本体を貫通し、フード本体がフェルールの外側にスリーブされる。この実装では、フード本体がフェルールの外側にスリーブされてフェルールを保護する。光ファイバサブアセンブリを現場で組み立てるときに、固定スリーブがスピンドルに挿入され、その結果、保護フードを迅速に配置することができる。これは、保護フードの軸をスピンドルの軸に素早くアライメントする助けとなり、それによって迅速な組み立てを実現する。
【０００８】
オプションで、一部の可能な実装において、保護フードから離れたスピンドルの端部の内壁がシャフトショルダを有し、ＦＭＣアセンブリの第１端がシャフトショルダに押し当たる。これは、ＦＭＣアセンブリが保護フードから離れる方向にスピンドルの軸方向に沿ってスライドすることを防ぐことができる。
【０００９】
オプションで、一部の可能な実装において、保護フードから離れたスピンドルの端部が、被固定部分と、該被固定部分の端面を延ばすことによって形成された圧着構造とを含む。被固定部分及び圧着構造が光ケーブルの外側にスリーブされる。被固定部分の外壁が外ねじ山を有する。リアリテーナの内壁が内ねじ山を備える。リアリテーナは被固定部分及び圧着構造の外側にスリーブされ、リアリテーナ上の内ねじ山が被固定部分の外ねじ山にねじ込まれることで圧着構造が光ケーブルを留める。この実施形態では、ＦＭＣアセンブリがスピンドルの軸方向に沿ってスピンドル内で前後に動くことを更に防止することができるように、光ケーブルがＦＭＣアセンブリに接続され、光ケーブルがスピンドル上の圧着構造によってきつく押圧される。
【００１０】
オプションで、一部の可能な実装において、圧着構造は、少なくとも２つのカンチレバーを含む。上記少なくとも２つのカンチレバーの固定端が上記被固定部分に接続される。上記少なくとも２つのカンチレバーの可動端の内壁に突起構造が形成される。少なくとも２つのカンチレバーの可動端が、光ケーブルをきつく押圧するために使用される。この実装では、それによってこのソリューションの実用性を向上させる圧着構造の具体的な実装が提供される。さらに、突起構造は光ケーブルの引張性能を改善させることができる。
【００１１】
オプションで、一部の可能な実装において、固定スリーブをスピンドルに簡便に挿入することができるように、固定スリーブの外径がフード本体の外径よりも小さい。さらに、固定スリーブに近いフード本体の端面上の領域に固定構造が設けられて、スピンドルに固定接続する。
【００１２】
オプションで、一部の可能な実装において、保護フードがスピンドルの軸方向に沿って前後に動くことを防止するために、スピンドルに第１の固定構造が設けられ、保護フードに第２の固定構造が設けられ、そして、第１の固定構造と第２の固定構造とがバックル留めを介して固定接続される。さらに、光ファイバサブアセンブリをいっそう簡便に組み立てること及び分解することができるように、スピンドルと保護フードとがバックル留めを介して固定接続される。これは、ねじ式接続と比較して、光ファイバサブアセンブリを現場で組み立てること及び分解することの時間を大幅に短縮することができる。
【００１３】
オプションで、一部の可能な実装において、第１の固定構造はスナップクリップであり、且つ第２の固定構造はスナップスロットである、又は、第１の固定構造はスナップスロットであり、且つ第２の固定構造はスナップクリップである。この実装では、それによってこのソリューションの実装性を向上させる第１の固定構造及び第２の固定構造の具体的な実装が提供される。
【００１４】
オプションで、一部の可能な実装において、第１の固定構造は、保護フードに面するスピンドルの端面に設けられたスナップクリップであり、第２の固定構造は、固定スリーブに近いフード本体の端面に設けられたスナップスロットである。この実施では、スナップクリップとスナップスロットとがスナップ嵌めされるとともに、空間がよりコンパクトであるように、スナップクリップ及びスナップスロットが、それぞれ、スピンドルの端面及びフード本体の端面に設けられる。
【００１５】
オプションで、一部の可能な実装において、当該光ファイバサブアセンブリは更にピンを含み、第１の固定構造は第１のジャックであり、第２の固定構造は第２のジャックであり、ピンが第１のジャック及び第２のジャックに挿入されるように構成される。この実装では、スピンドルを保護フードに固定する別の実装が提供され、それによって、このソリューションの拡張性が向上される。
【００１６】
オプションで、一部の可能な実装において、当該光ファイバサブアセンブリは更にスナップスプリングを含み、第１の固定構造は第１の溝であり、第２の固定構造は第２の溝であり、スナップスプリングが第１の溝及び第２の溝に挿入されるように構成される。この実装では、スピンドルを保護フードに固定する別の実装が提供され、それによって、このソリューションの拡張性が更に向上される。
【００１７】
オプションで、一部の可能な実装において、保護フードに面するスピンドルの端面が、接着剤を用いることによって、固定スリーブに近いフード本体の端面に接着される。この実装では、第１の固定構造及び第２の固定構造を配置することに加えて、接着剤を用いることによって保護フード及びスピンドルを直接固定することができ、それによって、このソリューションの融通性が向上される。
【００１８】
オプションで、一部の可能な実装において、保護フードに面するスピンドルの端面に位置決めキーが設けられ、且つ固定スリーブに近いフード本体の端面に位置決めスロットが設けられ、又は、保護フードに面するスピンドルの端面に位置決めスロットが設けられ、且つ固定スリーブに近いフード本体の端面に位置決めキーが設けられる。位置決めキーが位置決めスロットに挿入される。この実装では、固定スリーブがスピンドルに挿入された後に固定スリーブがスピンドル内で回転するのを防止することができ、それによって、固定スリーブがスピンドル内にスライドすることが更に防止される。
【００１９】
オプションで、一部の可能な実装において、ＦＭＣアセンブリに対して固定スリーブが回転することを防止するために、固定スリーブの内部キャビティがＦＭＣアセンブリと一致する。
【００２０】
オプションで、一部の可能な実装において、スピンドルから離れた保護フードの端部の断面がＣ字形にされるよう、スピンドルから離れた保護フードの端部に開口が設けられ、該開口は、ホーン形状にされることができ、すなわち、開口の端部が弧状の表面を有し、それが案内効果を果たして、アダプタへの光ファイバサブアセンブリの挿入をガイドする助けとなる。
【００２１】
オプションで、一部の可能な実装において、光ケーブルとリアリテーナ又はスピンドルとの間の隙間を通って光ファイバサブアセンブリ内に外部の異物、水分、粉塵、及びこれらに類するものが入ることを防止するために、ＦＭＣアセンブリに近い光ケーブルの端部の外側に光ケーブルシールリングが設けられ、また、ハンドルとスピンドルとの間の隙間を通って光ファイバサブアセンブリ内に外部の異物、水分、粉塵、及びこれらに類するものが入ることを防止するために、保護フードに近いスピンドルの端部の外側にスピンドルシールリングが設けられ、それによって、光ファイバサブアセンブリのシール性能が向上される。
【００２２】
オプションで、一部の可能な実装において、光ファイバサブアセンブリは更に防塵キャップを含み、該防塵キャップが、リアリテーナから離れたハンドルの端部に接続される。防塵キャップは、光ファイバサブアセンブリがアダプタに挿入される前に、粉塵及び水を防いでＦＭＣアセンブリを保護する。
【００２３】
オプションで、一部の可能な実装において、リアリテーナから離れたハンドルの端部の内壁に、突出した係止構造が設けられ、防塵キャップの端部の外表面に係止溝が設けられ、係止構造が係止溝にスナップ嵌めするように構成され、そして、ハンドルに近い防塵キャップの端部の外側に防塵キャップシールリングが設けられる。係止構造と係止溝とをスナップ嵌めすることで、ハンドルと防塵キャップとが固定されるようにすることができる。防塵キャップシールリングは、防塵とハンドルとがスナップ嵌めされるときに良好なシール効果を果たす。
【００２４】
オプションで、一部の可能な実装において、リアリテーナから離れたハンドルの端部の外表面にインジケーション識別子が設けられて、ハンドルの接続状態又は解放状態を指し示すために使用される。これは、現場組み立て中に光ファイバサブアセンブリの接続状態を視覚的に知る助けとなる。
【００２５】
オプションで、一部の可能な実装において、リアリテーナに近いハンドルの端部の外表面に２つの対称的な切断面が形成され、これら切断面上に溝が形成される。ハンドルを防塵キャップに固定する作業が行われるときに、回転動作を行うことに関してこれら切断面がクランプされて、滑りを防止し得る。これらの溝は、摩擦を更に増加させて、作業を行う手の感触を改善させることができる。
【００２６】
第２の態様によれば、この出願の一実施形態は、アダプタと、第１の態様のいずれかの実装に従った光ファイバサブアセンブリと、を含む光ファイバコネクタを提供する。アダプタの端部に、キャビティと該キャビティを取り囲むスロットとが設けられる。光ファイバサブアセンブリのＦＭＣアセンブリが、アダプタのキャビティに挿入される。光ファイバサブアセンブリの保護フードが、スロットに挿入される。
【００２７】
オプションで、一部の可能な実装において、アダプタの端部の外表面にシュート（chute）が設けられ、光ファイバサブアセンブリのハンドルの、リアリテーナから離れた端部の内壁に、突出した係止構造が設けられ、該係止構造がシュートにスライド可能に接続される。
【００２８】
以上の技術的ソリューションから分かることには、この出願の実施形態は以下の利点を有する。
【００２９】
この出願の実施形態における光ファイバサブアセンブリでは、ＦＭＣアセンブリを用いることによって光ケーブルが接続される。従って、顧客によって必要とされる又は組み立て現場で実際に必要とされる光ケーブル長に基づく融通性ある切断を通じて、組み立て要員により、実際に必要とされる長さの光ケーブルを得ることができる。トリミングされた光ケーブル端子が、組み立て現場で組み立てられ得る。例えば、先ずＦＭＣアセンブリを組み立て、次いで、ハンドル、リアリテーナ、スピンドル、保護フードなどをＦＭＣアセンブリと組み立てることで、光ファイバサブアセンブリを現場で組み立て得る。分かることには、この実施形態における光ファイバサブアセンブリの光ケーブルの長さは、工事現場で柔軟に設定されることができ、それによって光ケーブルを節約する助けとなるとともに、簡便で速い組み立てを実現する。さらに、スピンドル、保護フード、ハンドル、及びリアリテーナがＦＭＣアセンブリの外側にスリーブされることで、光ファイバサブアセンブリが組み立てられ、その結果、ＩＰ６８保護クラスを満足するようにＦＭＣアセンブリを保護することができる。ＦＭＣアセンブリ１５０が効果的に保護され、それ故に、この光ファイバサブアセンブリは屋外でのアダプタとのプラグ・アンド・プレイに好都合であり、作業が、簡単で、速くて、安全で、信頼性あるものとなる。さらに、ＦＭＣアセンブリを用いた光ファイバサブアセンブリは現場で組み立て及び分解されることができるので、使用中にフェルール又はＦＭＣアセンブリが損傷した場合に、光ケーブルを含む光ファイバサブアセンブリ全体を交換することなく、ＦＭＣアセンブリのみを交換すればよく、それにより、その後のメンテナンス費用が大幅に削減され、コストが低減される。
【図面の簡単な説明】
【００３０】
【図１】この出願が適用されるネットワークのアーキテクチャ図である。
【図２】この出願に従った光ファイバコネクタの概略構造図である。
【図３】この出願に従った光ファイバサブアセンブリの外部構造の概略図である。
【図４】この出願に従った光ファイバサブアセンブリの分解図である。
【図５】この出願に従った光ファイバサブアセンブリの断面図である。
【図６ａ】この出願に従ったＦＭＣアセンブリの分解図である。
【図６ｂ】この出願に従ったＦＭＣアセンブリの断面図である。
【図７】この出願に従ったスピンドル上の圧着構造の概略図である。
【図８】この出願に従ったハンドル上の係止構造の概略図である。
【図９】この出願に従った防塵キャップを備えた光ファイバサブアセンブリの概略構造図である。
【図１０ａ】この出願に従った、スナップクリップを用いることによってスピンドルが保護フードに固定される概略構造図である。
【図１０ｂ】この出願に従ったスピンドル上の位置決めスロットの概略構造図である。
【図１０ｃ】この出願に従った保護フード上の位置決めキーの概略構造図である。
【図１１】この出願に従った、ピンを用いることによってスピンドルが保護フードに固定される概略構造図である。
【図１２】この出願に従ったスナップスプリングを用いることによってスピンドルが保護フードに固定される概略構造図である。
【図１３】この出願に従ったアダプタの概略構造図である。
【図１４】この出願に従ったアダプタの分解図である。
【発明を実施するための形態】
【００３１】
この出願の実施形態は、光ファイバサブアセンブリ及び光ファイバコネクタを提供する。当該光ファイバサブアセンブリは、プラグ・アンド・プレイのために現場で組み立てられ得る。さらに、当該光ファイバサブアセンブリの光ケーブルの長さは、工事現場で柔軟に設定されることができ、それによって、光ケーブルを節約する助けとなるとともに、簡便で速い組み立てを実現する。
【００３２】
以下、本発明の実施形態内の添付図面を参照して、本発明の実施形態における技術的ソリューションを明瞭且つ完全に説明する。明らかなことには、説明される実施形態は、本発明の実施形態のうちの単なる一部であって、全てではない。本発明のこれらの実施形態に基づいて創作努力なく当業者によって得られる他の実施形態は全て、本発明の保護範囲に入るものである。
【００３３】
図１は、ＦＴＴｘ光ネットワークの一部を示している。ＦＴＴｘは、ＦＴＴＨ（fiber  to  the  home，ファイバ・トゥ・ザ・ホーム）、ＦＴＴＣ（fiber  to  the  curb，ファイバ・トゥ・ザ・カーブ）、ＦＴＴＰ（fiber  to  the  premises，ファイバ・トゥ・ザ・プレマイズ）、ＦＴＴＮ（fiber  to  the  node  or  neighborhood，ファイバ・トゥ・ザ・ノード又はファイバ・トゥ・ザ・ネイバフード）、ＦＴＴＯ（fiber  to  the  office，ファイバ・トゥ・ザ・オフィス）、又はＦＴＴＳＡ  （fiber  to  the  service  area，ファイバ・トゥ・ザ・サービスエリア）とし得る。ＦＴＴＨネットワークを一例として用いるに、センターオフィス（centre  office，ＣＯ）の下流の視点から見て、ＦＴＴＨは、フィーダリンク１、１：Ｎスプリッタ２、配線リンク３、１：ｍスプリッタ４、及び少なくとも１つの分岐リンク５を含む。この出願において、屋外環境に適用される光ファイバコネクタが分岐リンク５に適用可能である。この出願における一例としてＦＴＴｘ構造を持つタイプのネットワークを用いるが、他のネットワーク構造も適用可能である。
【００３４】
図２は、この出願における光ファイバコネクタ１０を示している。図２に示すように、光ファイバコネクタ１０は、光ファイバサブアセンブリ１００、光ファイバサブアセンブリ３００、及び光ファイバアダプタ２００を含む。内部光ファイバの相互接続を実現するように、光ファイバサブアセンブリ１００が、光ファイバアダプタ２００を用いることによって、別の光ファイバサブアセンブリ３００に接続される。
【００３５】
図３は、光ファイバサブアセンブリ１００の外部構造の概略図である。光ファイバサブアセンブリ１００の全体的な外観の視点から、光ファイバサブアセンブリ１００は、防塵キャップ１１０、ハンドル１２０、リアリテーナ（rear  retainer）１３０、及び光ケーブル１４０を含む。
【００３６】
図４は、光ファイバサブアセンブリ１００の分解図である。内部構造から分かることには、光ファイバサブアセンブリ１００は更に、現場取り付け可能コネクタ（field  mountable  connector，ＦＭＣ）アセンブリ１５０、スピンドル１６０、及び保護フード１７０を含む。ハンドル１２０及びリアリテーナ１３０が、スピンドル１６０及び保護フード１７０の外側にスリーブされる。さらに、スピンドル１６０及び保護フード１７０が、ＦＭＣアセンブリ１５０の外側にスリーブされる。
【００３７】
図５は、光ファイバサブアセンブリ１００の断面図である。光ケーブル１４０の端部が、ＦＭＣアセンブリ１５０の端部に接続され、光ケーブル１４０は、ＦＭＣアセンブリ１５０の第１端１５０ａから突出する。ＦＭＣアセンブリ１５０はフェルール１５０１を含み、フェルール１５０１は、ＦＭＣアセンブリ１５０の第２端１５０ｂに設けられる。スピンドル１６０が、ＦＭＣアセンブリ１５０の第１端１５０ａの外側にスリーブされ、保護フード１７０が、ＦＭＣアセンブリ１５０の第２端１５０ｂの外側にスリーブされ、スピンドル１６０が保護フード１７０に固定接続される。ハンドル１２０が、スピンドル１６０及び保護フード１７０の外側にスリーブされる。リアリテーナ１３０は、保護フード１７０から離れたスピンドル１６０の端部に接続され、保護フード１７０から離れたスピンドル１６の端部が、光ケーブル１４０を留めるために使用される。
【００３８】
図６ａのＦＭＣアセンブリの分解図及び図６ｂのＦＭＣアセンブリの断面図を参照するに、ＦＭＣアセンブリ１５０は、フェルール１５０１、フェルール固定部１５０２、外側フレームスリーブ１５０３、ベース１５０４、ばね１５０５、及びＦＭＣリアリテーナ１５０６を含み得る。光ケーブル１４０は、ベース１５０４に接続され、光ファイバへと剥かれる。次いで、光ファイバは、フェルール固定部１５０２を通して導かれ、フェルール１５０１に接続される。フェルール固定部１５０２は、フェルール１５０１を固定するとともに光ファイバを保護するように構成される。外側フレームスリーブ１５０３が、フェルール１５０１及びフェルール固定部１５０２の外側にスリーブされる。外側フレームスリーブ１５０３は、フェルール１５０１に近いベース１５０４の端部に固定接続される。フェルール１５０１から離れたベース１５０４の端部が、ねじ山を介してＦＭＣリアリテーナ１５０６にねじ込まれる。ばね１５０５が、ベース１５０４の内壁に固定される。フェルール１５０１に近いばね１５０５の端部がフェルール固定部１５０２を押し当たって、フェルール１５０１及びフェルール固定部１５０２に対する支持を提供するとともに、フェルール１５０１をフレキシブルにする。
【００３９】
具体的には、現場で組み立てを行うときに、作業者は、先ず、切断を通じて、実際の要求に従った長さの光ケーブル１４０を得ることができ、次いで、光ケーブル１４０をベース１５０４、フェルール固定部１５０２、及びフェルール１５０１に順に接続し、次いで、フェルール１５０１及びフェルール固定部１５０２の外側に外側フレームスリーブ１５０３をスリーブし、外側フレームスリーブ１５０３をベース１５０４に固定し、次いで、ベース１５０４の外側にＦＭＣリアリテーナ１５０６をスリーブし、ねじ山を介してＦＭＣリアリテーナ１５０６をベース１５０４にねじ込んで、光ケーブル１４０をＦＭＣアセンブリ１５０に接続するための組み立てを完了し、そして、ＦＭＣアセンブリ１５０の外側に、スピンドル１６０、保護フード１７０、ハンドル１２０、及びリアリテーナ１３０をスリーブして、光ファイバサブアセンブリ１００の組み立てを完了する。なお、この出願における光ケーブル１４０は、例えばバタフライケーブル、ラウンドケーブル、及びフラットケーブルなどの様々なタイプのケーブルを含み得る。これは、ここで具体的に限定されることではない。
【００４０】
一実施形態において、保護フード１７０は、フード本体１７１と、フード本体１７１の端部を延ばすことによって形成された固定スリーブ１７２とを含む。固定スリーブ１７２は、スピンドル１６０に挿入され、フード本体１７１は、フェルール１５０１の外側にスリーブされてフェルール１５０１を保護する。光ファイバサブアセンブリ１００が現場で組み立てられるときに、固定スリーブ１７２がスピンドル１６０に挿入され、その結果、保護フード１７０を迅速に位置付けることができる。これは、保護フード１７０の軸をスピンドル１６０の軸と迅速にアライメントする助けとなり、それによって迅速な組み立てを実現する。固定スリーブ１７２内のキャビティが、ＦＭＣアセンブリ１５０の外側フレームスリーブ１５０３と一致し得る。例えば、固定スリーブ１７２内のキャビティの断面は正方形であることができ、ＦＭＣアセンブリ１５０の外側フレームスリーブ１５０３の断面も正方形であることができ、そして、これら２つの断面の大きさが一致し、それによって、固定スリーブ１７２がＦＭＣアセンブリ１５０に対して回転することを防止し得る。
【００４１】
対照的に、現場で組み立てられることができない従来技術の屋外光ファイバサブアセンブリでは、屋外光ファイバサブアセンブリの光ケーブル長は、納入前に確定されてしまい、工事現場で変更されることはできない。例えば、製造業者は、通常、様々な仕様の光ファイバサブアセンブリを製造する。例えば、製造業者は通常、例えば光ファイバサブアセンブリの光ケーブル長の仕様が５０メートル、１００メートル、２００メートル、及びこれらに類するものであるといった、様々な仕様の光ファイバサブアセンブリを製造する。
現場で６０ｍの長さの光ケーブルしか必要とされない場合、工事においては、なおも１００ｍの長さの光ケーブルを持つ光ファイバサブアセンブリが顧客に提供される必要があり、それによって、不可避的に４０ｍの光ケーブルが無駄になる。
【００４２】
この出願の実施形態における光ファイバサブアセンブリ１００では、ＦＭＣアセンブリ１５０を用いることによって光ケーブル１４０が接続される。従って、顧客によって必要とされる又は組み立て現場で実際に必要とされる光ケーブル長に基づく融通性ある切断を通じて、組み立て要員により、実際に必要とされる長さの光ケーブルを得ることができる。トリミングされた光ケーブル端子が、組み立て現場で組み立てられ得る。例えば、先ずＦＭＣアセンブリ１５０を組み立て、次いで、ハンドル１２０、リアリテーナ１３０、スピンドル１６０、保護フード１７０などをＦＭＣアセンブリ１５０と組み立てることで、光ファイバサブアセンブリ１００を現場で組み立て得る。分かることには、この実施形態における光ファイバサブアセンブリ１００の光ケーブルの長さは、工事現場で柔軟に設定されることができ、それによって光ケーブルを節約する助けとなるとともに、簡便で速い組み立てを実現する。さらに、スピンドル１６０、保護フード１７０、ハンドル１２０、及びリアリテーナ１３０がＦＭＣアセンブリ１５０の外側にスリーブされることで、光ファイバサブアセンブリ１００が組み立てられ、その結果、ＩＰ６８保護クラスを満足するようにＦＭＣアセンブリ１５０を保護することができる。ＦＭＣアセンブリ１５０が効果的に保護され、それ故に、この光ファイバサブアセンブリ１００は屋外でのアダプタ２００とのプラグ・アンド・プレイに好都合であり、作業が、簡単で、速くて、安全で、信頼性あるものとなる。さらに、ＦＭＣアセンブリを用いた光ファイバサブアセンブリは現場で組み立て及び分解されることができるので、使用中にフェルール又はＦＭＣアセンブリが損傷した場合に、光ケーブルを含む光ファイバサブアセンブリ全体を交換することなく、ＦＭＣアセンブリのみを交換すればよく、それにより、その後のメンテナンス費用が大幅に削減され、コストが低減される。
【００４３】
図４及び図５を参照するに、一実施形態において、光ケーブル１４０とリアリテーナ１３０又はスピンドル１６０との間の隙間を通って光ファイバサブアセンブリ１００内に外部の異物、水分、粉塵、及びこれらに類するものが入ることを防止するために、ＦＭＣアセンブリ１５０に近い光ケーブル１４０の端部の外側に光ケーブルシールリング１４１が設けられ。
【００４４】
一実施形態において、ハンドル１２０とスピンドル１６０との間の隙間を通って光ファイバサブアセンブリ１００内に外部の異物、水分、粉塵、及びこれらに類するものが入ることを防止するために、保護フード１７０に近いスピンドル１６０の端部の外側にスピンドルシールリング１６４が設けられ、それによって、光ファイバサブアセンブリ１００のシール性能が向上される。
【００４５】
一実施形態において、保護フード１７０から離れたスピンドル１６０の端部の内壁がシャフトショルダ１６１を有し、シャフトショルダ１６１がＦＭＣアセンブリ１５０の第１端１５０ａに押し当たる。これは、ＦＭＣアセンブリ１５０が保護フード１７０から離れる方向にスピンドル１６０の軸方向に沿ってスライドすることを防ぎ、それによってＦＭＣアセンブリ１５０を制約することができる。
【００４６】
一実施形態において、保護フード１７０から離れたスピンドル１６０の端部が、被固定部分１６２と、該被固定部分１６２の端面を延ばすことによって形成された圧着構造１６３とを含む。被固定部分１６２及び圧着構造１６３は、光ケーブル１４０の外側にスリーブされる。被固定部分１６２の外壁が外ねじ山を有する。リアリテーナ１３０の内壁が内ねじ山を備える。リアリテーナ１３０は被固定部分１６２及び圧着構造１６３の外側にスリーブされ、リアリテーナ１３０上の内ねじ山が、被固定部分１６２の外ねじ山にねじ込まれることで、圧着構造１６３が光ケーブル１４０を留める。
【００４７】
図７を参照するに、一実施形態において、圧着構造１６３は２つのカンチレバー１６３１を含み得る。２つのカンチレバー１６３１の固定端が被固定部分１６２に接続される。２つのカンチレバー１６３１の可動端の内壁に突起構造１６３２が設けられる。突起構造１６３２の数は、ここで具体的に限定されることではない。リアリテーナ１３０の内部キャビティが、自然状態の２つのカンチレバー１６３１によって形成される周縁よりも僅かに小さいとし得る。さらに、リアリテーナ１３０の内ねじ山が被固定部分１６２の外ねじ山にねじ込まれる過程において、２つのカンチレバー１６３１の可動端が光ケーブル１４０に向かう方向にきつく押されて絞られることで、光ケーブル１４０をクランプする。突起構造１６３２は、光ケーブル１４０の引張性能を改善させることができる。ＦＭＣアセンブリ１５０がスピンドル１６０の軸方向に沿ってスピンドル１６０内で前後に動くことを防止することができるように、光ケーブル１４０がＦＭＣアセンブリ１５０に接続され、光ケーブル１４０がスピンドル１６０上の圧着構造１６３によってきつく押圧される。なお、圧着構造１６３は、例えば３つ又は４つのカンチレバーといった、より多くのカンチレバー１６３１を含んでもよい。これは、ここで具体的に限定されることではない。他の一実施形態において、圧着構造１６３は代わりに円筒構造であってもよく、該円筒構造は、弾性材料で作製される。リアリテーナ１３０の内部キャビティが該円筒構造の周縁よりも僅かに小さいとし得る。さらに、リアリテーナ１３０の内ねじ山が被固定部分１６２の外ねじ山にねじ込まれる過程において、リアリテーナ１３０が弾性圧着構造１６３に押し当たって光ケーブル１４０を留める。
【００４８】
一実施形態において、ハンドル１２０は、内側に段付き表面を持つ円筒構造である。ハンドル１２０の内側の段付き表面が、保護フード１７０に近いスピンドル１６０の端部に押し当たることで、ハンドル１２０がリアリテーナ１３０から離れる方向にスライドすることを防止する。リアリテーナ１３０が被固定部分１６２にねじ込まれた後、リアリテーナ１３０がハンドル１２０に押し当たることで、ハンドル１２０がリアリテーナ１３０に向かう方向にスライドすることを防止する。上述の方法に加えて、ハンドル１２０を固定する別の代わりの方法が存在し得る。例えば、スピンドル１６０の外表面にシュート（chute）が設けられ、ハンドル１２０の内表面にフランジが設けられ、ハンドルを固定するようにフランジをシュートとスナップ嵌めするためにハンドルが回転され得る。これは、ここで具体的に限定されることではない。
【００４９】
図８を参照するに、一実施形態において、リアリテーナ１３０から離れたハンドル１２０の端部の内壁に、突出した係止構造１２０１が設けられる。係止構造１２０１は、円筒形の突起とすることができ、１つ以上の係止構造１２０１が存在し得る。これは、ここで具体的に限定されることではない。
【００５０】
図９を参照するに、一実施形態において、ロープを用しることによって、光ファイバサブアセンブリ１００に防塵キャップ１１０が結び付けられる。防塵キャップ１１０は主に、光ファイバサブアセンブリ１００がアダプタ２００に挿入される前に、粉塵及び水を防止してＦＭＣアセンブリ１５０を保護することを意図したものである。防塵キャップ１１０とハンドル１２０とがスナップ嵌めされたときに良好なシール効果を達成するために、防塵キャップ１１０の外側に防塵キャップシールリング１１１が設けられる。防塵キャップ１１０の端部に、光ファイバサブアセンブリ１１０の収容キャビティが設けられる。収容キャビティは、防塵キャップ１１０の軸方向に沿って延在し、光ファイバサブアセンブリ１００内の保護フード１７０及びＦＭＣアセンブリ１５０の、外部に接続される、端部を収容することができる。防塵キャップ１１０の外表面に、少なくとも１つの係止溝１１２が設けられる。係止溝１１２の数は、ハンドル１２０上の係止構造１２０１の数に等しい。係止構造１２０１が係止溝１１２とスナップ嵌めするように構成され、その結果、防塵キャップ１１０がハンドル１２０に固定される。
【００５１】
一実施形態において、ハンドル１２０の接続状態又は解放状態を指し示すために、リアリテーナ１３０から離れたハンドル１２０の端部の外表面にインジケーション識別子１２１が設けられる。リアリテーナ１３０に近いハンドル１２０の端部において外表面に切断面１２２が設けられる。ハンドル１２０を防塵キャップ１１０に固定する作業が行われると、回転動作を行うことに関して切断面１２２がクランプされて滑りを防止し得る。摩擦を更に増加させるために、切断面１２２上に更に滑り止め溝を形成して、作業を行う手の感触を改善させ得る。なお、切断面１２２は、一対の対称切断面であってもよいし、あるいは、例えば二対又は三対といった複数対の対称切断面であってもよい。これは、個々で具体的に限定されることではない。
【００５２】
図１０ａを参照するに、一実施形態において、スピンドル１６０から離れた保護フード１７０の端部の断面がＣ字形にされるように、すなわち、保護フード１７０が、外周面に開口１７０３を有するＣ字形フードであるように、スピンドル１６０から離れた保護フード１７０の端部に開口１７０３が設けられる。
【００５３】
確かなことには、他の一実施形態において、保護フード１７０の外周面に代わりに２つ以上の開口１７０３が存在してもよい。例えば、２つの開口又は３つの開口が含められ得る。これは、ここで具体的に限定されることではない。開口１７０３は、ホーン形状にされることができ、すなわち、開口の端部が弧状の表面を有し、それが案内効果を果たして、アダプタ２００への光ファイバサブアセンブリ１００の挿入をガイドする助けとなる。
【００５４】
一実施形態において、ＦＭＣアセンブリ１５０を保護することを基礎として、保護フード１７０がスピンドル１６０の軸方向に沿って動くことを防止するために、固定スリーブ１７２がスピンドル１６０に挿入され、保護フード１７０に近いスピンドルの端面に第１の固定構造１６０１が設けられ、固定スリーブ１７２に近いフード本体１７１の端面に第２の固定構造１７０１が設けられ、そして、第１の固定構造１６０１及び第２の固定構造１７０１がバックル留めされ、その結果、スピンドル１６０が保護フード１７０に固定接続される。スピンドルと保護フードとがバックル留めを介して固定接続されることで、光ファイバサブアセンブリをいっそう簡便に組み立てること及び分解することができるようになる。これは、ねじ込むようにしてスピンドルが保護フードに接続される光ファイバサブアセンブリと比較して、現場で光ファイバサブアセンブリを組み立てること及び分解することの時間を大幅に短縮することができる。試験が示すことには、この実施形態で提供される光ファイバサブアセンブリの組み立て及び分解の時間は、ねじ込み接続を用いる光ファイバサブアセンブリの組み立て及び分解の時間のたったの１／５である。
【００５５】
理解され得ることには、固定スリーブ１７２をスピンドル１６０に挿入するため及び第２の固定構造１７０１を簡便に配置するために、固定スリーブ１７２の外径は、フード本体１７１の外径よりも小さい。また、第１の固定構造１６０１は、スピンドル１６０の端面上の任意の位置に設けられることができ、第２の固定構造１７０１は、フード本体１７１の端面上の任意の位置に設けられることができる。Ｃ字形フードを一例として用いるに、第２の固定構造１７０１は、フード本体１７１の端面上の、開口１７０３に対応する位置に設けられ得る。
【００５６】
図１０ｂ及び図１０ｃを参照するに、一実施形態において、固定スリーブ１７１がスピンドル１６０に挿入された後に固定スリーブ１７１がスピンドル１６０内で回転することを防止するため、及び固定スリーブ１７１がスピンドル１６０内にスライドすることを防止するために、保護フード１７０に近いスピンドル１６０の端面に位置決めスロット１６０２が設けられる。対応して、固定スリーブ１７２に近いフード本体１７１の端面に位置決めキー１７０２が設けられる。位置決めキー１７０２が位置決めスロット１６０２に挿入され得る。確かなことには、代わりに、保護フード１７０に近いスピンドル１６０の端面に位置決めキー１７０２が設けられ、固定スリーブ１７２に近いフード本体１７１の端面に位置決めスロット１６０２が設けられてもよい。また、１つ以上のグループの位置決めキー１７０２及び位置決めスロット１６０２が存在してもよい。これは、ここで具体的に限定されることではない。
【００５７】
第１の固定構造１６０１及び第２の固定構造１７０１は、複数の手法で実装され得る。それらの手法について以下にて別々に記述する。
【００５８】
図１０ａを参照するに、一実施形態において、第１の固定構造１６０１はスナップクリップとすることができ、第２の固定構造１７０１はスナップスロットとすることができ、これらスナップクリップ及びスナップスロットがスナップ嵌めされることで、スピンドル１６０が保護フード１７０に固定される。代わりに、第１の固定構造１６０１がスナップスロットであって、第２の固定構造１７０１がスナップクリップであってもよい。また、１つ以上のグループのスナップクリップ及び対応するスナップスロットが設けられてもよい。これは、ここで具体的に限定されることではない。
【００５９】
図１１を参照するに、一実施形態において、光ファイバサブアセンブリ１００は更にピン１８０を含んでもよく、第１の固定構造１６０１は第１のジャックであってもよく、第２の固定構造１７０１は第２のジャックであってもよく、ピン１８０を第１のジャック及び第２のジャックに挿入することで、第１のジャックと第２のジャックとを固定してもよい。理解され得ることには、１つ以上のグループのピン１８０、第１のジャック、及び第２のジャックが設けられてもよい。これは、ここで具体的に限定されることではない。
【００６０】
図１２を参照するに、一実施形態において、光ファイバサブアセンブリは更にスナップスプリング１９０を含んでもよく、第１の固定構造１６０１は第１の溝であってもよく、第２の固定構造１７０１は第２の溝であってもよく、スナップスプリング１９０が第１の溝及び第２の溝に挿入されることで、第１の溝と第２の溝とが固定されてもよい。理解され得ることには、１つ以上のグループのスナップスプリング１９０、第１の溝、及び第２の溝が設けられてもよい。これは、ここで具体的に限定されることではない。
【００６１】
上で挙げた幾つかの手法に加えて、保護フード１７０は、代わりに別の手法でスピンドル１６０に固定されてもよい。例えば、保護フード１７０に面するスピンドル１６０の端面が、接着剤を用いることによって、固定スリーブ１７２に近いフード本体１７１の端面に接着されてもよい。これは、ここで具体的に限定されることではない。
【００６２】
以上は、この出願の実施形態における光ファイバサブアセンブリ１００を説明するものであり、以下、この出願における光ファイバコネクタ１０を説明する。
【００６３】
図２に示すように、前述の光ファイバサブアセンブリ１００に加えて、光ファイバコネクタ１０は更にアダプタ２００を含む。図１３を参照するに、光ファイバアダプタ２００の端部にソケット２０１が設けられる。
【００６４】
ソケット２０１上にキャビティ２０１１及びスロット２０１２が設けられる。キャビティ２０１１は、ソケット２０１の中央に位置する。キャビティ２０１１及びスロット２０１２は、ソケット２０１の軸方向に沿って延在する。スロット２０１２は、キャビティ２０１１の周囲を取り囲む。光ファイバサブアセンブリ１００内のＦＭＣアセンブリ１５０が、キャビティ２０１１内に挿入され得る。光ファイバサブアセンブリ１００内の保護フード１７０が、スロット２０１２に挿入され得る。保護フード１７０がＣ字形フードである場合、スロット２０１２の断面がＣ字形となるように、ソケット２０１の軸方向に沿って延びるストリップ形状の突起２０１４がスロット２０１２上に更に設けられ得る。ストリップ形状の突起２０１４の幅は、Ｃ字形フードの開口の幅と同等である。スロット２０１２は、Ｃ字形フードにシームレスに接続されることができ、それにより、光ファイバサブアセンブリ１００の見ないでの接続を実現し、作業を容易にし、更に光ファイバコネクタ１０のプラグ・アンド・プレイを実現し得る。
【００６５】
一実施形態において、光ファイバソケット２０１の外周に第２のシュート２０１５が設けられる。シュート２０１５は螺旋状である。シュート２０１５は、ソケット２０１の端からソケット２０１の円周方向に沿って延在し、シュート２０１５の延在端が、ハンドル１２０上の係止構造１２０１にバックル留めされる。光ファイバソケット２０１の外表面に、矢印識別子と識別子“０”及び“１”とが設けられている。光ファイバサブアセンブリ１００が光ファイバソケット２０１に挿入されるときに、ハンドル１２０上の識別子１２１がソケット２０１の矢印識別子とアライメントされるべきである。光ファイバサブアセンブリ１００が“０”の方向に回転されているとき、光ファイバサブアセンブリ１００はロック状態にある。光ファイバサブアセンブリ１００が“１”の方向に回転されているとき、光ファイバサブアセンブリ１００は解放状態にある。この実施において、シュート２０１５は、防塵キャップ１１０上の係止溝１１２の形状と同じ形状を持つとし得る。
【００６６】
図１４のアダプタ２００の分解図を参照するに、一実施形態において、光ファイバアダプタ２００は、Ｏ形シールリング２２２、ロックナット２２０、Ｏ形シールリング２４０、ソケット本体２１０、セラミックスリーブ２１２を含む。Ｏ形シールリング２４０、ロックナット２２０、及びＯ形シールリング２２２は、ソケット本体２１０の外側に順にスリーブされる。セラミックスリーブ２１２は、ソケット本体２１０の他端に挿入され、Ｏ形シールリング２２２を用いることによって留められる。ソケット２０１がソケット本体２１０の一端に設けられ、ソケット２０２がソケット本体２１０の他端に設けられる。ソケット２０１と、ソケット２０２と、ソケット本体２１０の中央に配置されたセラミックスリーブ２１２とが、超音波を用いることによって共に溶接され得る。
【００６７】
一実施形態において、光ファイバアダプタ２００は、アダプタ防塵キャップ２３０を含む。光ファイバアダプタ２００を収容するためのアダプタ収容キャビティが、アダプタ防塵キャップ２３０の端に設けられる。この収容キャビティは、光ファイバアダプタ２００が防塵キャップ２３０に挿入されるときにソケット２０１を収容するように構成される。
【００６８】
以上の説明は、単に、本発明の実装例であり、本発明の保護範囲を限定することを意図したものではない。本発明にて開示された技術範囲内で当業者によって容易に考え付かれる如何なる変形又は置換も、本発明の保護範囲に入るものである。故に、本発明の保護範囲は、請求項の保護範囲次第のものである。
【図１】
2022500696.tif 000003
【図２】
2022500696.tif 000004
【図３】
2022500696.tif 000005
【図４】
2022500696.tif 000006
【図５】
2022500696.tif 000007
【図６ａ】
2022500696.tif 000008
【図６ｂ】
2022500696.tif 000009
【図７】
2022500696.tif 000010
【図８】
2022500696.tif 000011
【図９】
2022500696.tif 000012
【図１０ａ】
2022500696.tif 000013
【図１０ｂ】
2022500696.tif 000014
【図１０ｃ】
2022500696.tif 000015
【図１１】
2022500696.tif 000016
【図１２】
2022500696.tif 000017
【図１３】
2022500696.tif 000018
【図１４】
2022500696.tif 000019
【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
光ファイバサブアセンブリであって、ハンドル、リアリテーナ、光ケーブル、現場取り付け可能コネクタ（ＦＭＣ）アセンブリ、スピンドル、及び保護フードを有し、
前記光ケーブルの端部が前記ＦＭＣアセンブリに接続され、前記光ケーブルは前記ＦＭＣアセンブリの第１端から突出し、前記ＦＭＣアセンブリはフェルールを有し、該フェルールは前記ＦＭＣアセンブリの第２端に設けられ、
前記スピンドルが前記ＦＭＣアセンブリの前記第１端の外側にスリーブされ、前記保護フードが前記ＦＭＣアセンブリの前記第２端の外側にスリーブされ、前記保護フードが前記スピンドルに固定接続され、
前記保護フードから離れた前記スピンドルの端部が前記リアリテーナに接続され、前記保護フードから離れた前記スピンドルの前記端部は、前記光ケーブルを留めるのに使用され、
前記ハンドルが、前記保護フード及び前記スピンドルの外側にスリーブされる、
光ファイバサブアセンブリ。
【請求項２】
前記保護フードは、フード本体と、該フード本体の端部を延ばすことによって形成された固定スリーブとを有し、該固定スリーブが前記スピンドルに挿入され、前記ＦＭＣアセンブリが前記固定スリーブ及び前記フード本体を貫通し、前記フード本体が前記フェルールの外側にスリーブされる、請求項１に記載の光ファイバサブアセンブリ。
【請求項３】
前記保護フードから離れた前記スピンドルの前記端部の内壁がシャフトショルダを有し、前記ＦＭＣアセンブリの前記第１端が前記シャフトショルダに押し当たる、請求項１又は２に記載の光ファイバサブアセンブリ。
【請求項４】
前記保護フードから離れた前記スピンドルの前記端部が、被固定部分と、該被固定部分の端面を延ばすことによって形成された圧着構造とを有し、前記被固定部分及び前記圧着構造が前記光ケーブルの外側にスリーブされ、前記被固定部分の外壁が外ねじ山を有し、前記リアリテーナの内壁が内ねじ山を備え、前記リアリテーナは前記被固定部分及び前記圧着構造の外側にスリーブされ、前記リアリテーナ上の前記内ねじ山が前記被固定部分の前記外ねじ山にねじ込まれることで前記圧着構造が前記光ケーブルを留める、請求項１乃至３のいずれか一項に記載の光ファイバサブアセンブリ。
【請求項５】
前記圧着構造は、少なくとも２つのカンチレバーを有し、該少なくとも２つのカンチレバーの固定端が前記被固定部分に接続され、前記少なくとも２つのカンチレバーの可動端の内壁に突起構造が形成され、前記少なくとも２つのカンチレバーの前記可動端が、前記光ケーブルをきつく押圧するために使用される、請求項４に記載の光ファイバサブアセンブリ。
【請求項６】
前記固定スリーブの外径が前記フード本体の外径よりも小さい、請求項１乃至５のいずれか一項に記載の光ファイバサブアセンブリ。
【請求項７】
前記スピンドルに第１の固定構造が設けられ、前記保護フードに第２の固定構造が設けられ、前記第１の固定構造と前記第２の固定構造とがバックル留めを介して固定接続される、請求項１乃至６のいずれか一項に記載の光ファイバサブアセンブリ。
【請求項８】
前記第１の固定構造はスナップクリップであり、且つ前記第２の固定構造はスナップスロットである、又は
前記第１の固定構造はスナップスロットであり、且つ前記第２の固定構造はスナップクリップである、
請求項７に記載の光ファイバサブアセンブリ。
【請求項９】
前記第１の固定構造は、前記保護フードに面する前記スピンドルの端面に設けられたスナップクリップであり、前記第２の固定構造は、前記固定スリーブに近い前記フード本体の前記端部に設けられたスナップスロットである、請求項８に記載の光ファイバサブアセンブリ。
【請求項１０】
当該光ファイバサブアセンブリは更にピンを有し、前記第１の固定構造は第１のジャックであり、前記第２の固定構造は第２のジャックであり、前記ピンが前記第１のジャック及び前記第２のジャックに挿入されるように構成される、請求項７に記載の光ファイバサブアセンブリ。
【請求項１１】
当該光ファイバサブアセンブリは更にスナップスプリングを有し、前記第１の固定構造は第１の溝であり、前記第２の固定構造は第２の溝であり、前記スナップスプリングが前記第１の溝及び前記第２の溝に挿入されるように構成される、請求項７に記載の光ファイバサブアセンブリ。
【請求項１２】
前記保護フードに面する前記スピンドルの端面が、接着剤を用いることによって、前記固定スリーブに近い前記フード本体の端面に接着される、請求項１乃至請求項６のいずれか一項に記載の光ファイバサブアセンブリ。
【請求項１３】
前記保護フードに面する前記スピンドルの端面に位置決めキーが設けられ、且つ前記固定スリーブに近い前記フード本体の端面に位置決めスロットが設けられ、又は、前記保護フードに面する前記スピンドルの端面に位置決めスロットが設けられ、且つ前記固定スリーブに近い前記フード本体の端面に位置決めキーが設けられ、且つ
前記位置決めキーが前記位置決めスロットに挿入される、
請求項１乃至１２のいずれか一項に記載の光ファイバサブアセンブリ。
【請求項１４】
前記ＦＭＣアセンブリに対して前記固定スリーブが回転することを防止するために、前記固定スリーブの内部キャビティが前記ＦＭＣアセンブリと一致する、請求項１乃至１３のいずれか一項に記載の光ファイバサブアセンブリ。
【請求項１５】
前記スピンドルから離れた前記保護フードの端部の断面がＣ字形にされるよう、前記スピンドルから離れた前記保護フードの前記端部に開口が設けられている、請求項１乃至１４のいずれか一項に記載の光ファイバサブアセンブリ。
【請求項１６】
前記ＦＭＣアセンブリに近い前記光ケーブルの端部の外側に光ケーブルシールリングが設けられ、前記保護フードに近い前記スピンドルの端部の外側にスピンドルシールリングが設けられている、請求項１乃至１５のいずれか一項に記載の光ファイバサブアセンブリ。
【請求項１７】
光ファイバサブアセンブリであって、請求項１乃至１６のいずれか一項に記載の光ファイバサブアセンブリと、
アダプタであり、当該アダプタの端部にキャビティと該キャビティを取り囲むスロットとが設けられたアダプタと、
を有し、
前記光ファイバサブアセンブリのＦＭＣアセンブリの第２端が前記アダプタの前記キャビティに挿入され、前記光ファイバサブアセンブリの保護フードが前記スロットに挿入される、
光ファイバコネクタ。
【手続補正２】
【補正対象書類名】明細書
【補正対象項目名】０００１
【補正方法】変更
【補正の内容】
【０００１】
この出願は、光通信技術の分野に関し、特に、光ファイバサブアセンブリ及び光ファイバコネクタに関する。
【手続補正３】
【補正対象書類名】明細書
【補正対象項目名】００２３
【補正方法】変更
【補正の内容】
【００２３】
オプションで、一部の可能な実装において、リアリテーナから離れたハンドルの端部の内壁に、突出した係止構造が設けられ、防塵キャップの端部の外表面に係止溝が設けられ、係止構造が係止溝にスナップ嵌めするように構成され、そして、ハンドルに近い防塵キャップの端部の外側に防塵キャップシールリングが設けられる。係止構造と係止溝とをスナップ嵌めすることで、ハンドルと防塵キャップとが固定されるようにすることができる。防塵キャップシールリングは、防塵キャップとハンドルとがスナップ嵌めされるときに良好なシール効果を果たす。
【手続補正４】
【補正対象書類名】明細書
【補正対象項目名】００２９
【補正方法】変更
【補正の内容】
【００２９】
この出願の実施形態における光ファイバサブアセンブリでは、ＦＭＣアセンブリを用いることによって光ケーブルが接続される。従って、顧客によって必要とされる又は組み立て現場で実際に必要とされる光ケーブル長に基づく融通性ある切断を通じて、組み立て要員により、実際に必要とされる長さの光ケーブルを得ることができる。トリミングされた光ケーブル端子が、組み立て現場で組み立てられ得る。例えば、先ずＦＭＣアセンブリを組み立て、次いで、ハンドル、リアリテーナ、スピンドル、保護フードなどをＦＭＣアセンブリと組み立てることで、光ファイバサブアセンブリを現場で組み立て得る。分かることには、この実施形態における光ファイバサブアセンブリの光ケーブルの長さは、工事現場で柔軟に設定されることができ、それによって光ケーブルを節約する助けとなるとともに、簡便で速い組み立てを実現する。さらに、スピンドル、保護フード、ハンドル、及びリアリテーナがＦＭＣアセンブリの外側にスリーブされることで、光ファイバサブアセンブリが組み立てられ、その結果、ＩＰ６８保護クラスを満足するようにＦＭＣアセンブリを保護することができる。ＦＭＣアセンブリが効果的に保護され、それ故に、この光ファイバサブアセンブリは屋外でのアダプタとのプラグ・アンド・プレイに好都合であり、作業が、簡単で、速くて、安全で、信頼性あるものとなる。さらに、ＦＭＣアセンブリを用いた光ファイバサブアセンブリは現場で組み立て及び分解されることができるので、使用中にフェルール又はＦＭＣアセンブリが損傷した場合に、光ケーブルを含む光ファイバサブアセンブリ全体を交換することなく、ＦＭＣアセンブリのみを交換すればよく、それにより、その後のメンテナンス費用が大幅に削減され、コストが低減される。
【手続補正５】
【補正対象書類名】明細書
【補正対象項目名】００３７
【補正方法】変更
【補正の内容】
【００３７】
図５は、光ファイバサブアセンブリ１００の断面図である。光ケーブル１４０の端部が、ＦＭＣアセンブリ１５０の端部に接続され、光ケーブル１４０は、ＦＭＣアセンブリ１５０の第１端１５０ａから突出する。ＦＭＣアセンブリ１５０はフェルール１５０１を含み、フェルール１５０１は、ＦＭＣアセンブリ１５０の第２端１５０ｂに設けられる。スピンドル１６０が、ＦＭＣアセンブリ１５０の第１端１５０ａの外側にスリーブされ、保護フード１７０が、ＦＭＣアセンブリ１５０の第２端１５０ｂの外側にスリーブされ、スピンドル１６０が保護フード１７０に固定接続される。ハンドル１２０が、スピンドル１６０及び保護フード１７０の外側にスリーブされる。リアリテーナ１３０は、保護フード１７０から離れたスピンドル１６０の端部に接続され、保護フード１７０から離れたスピンドル１６０の端部が、光ケーブル１４０を留めるために使用される。
【手続補正６】
【補正対象書類名】明細書
【補正対象項目名】００５０
【補正方法】変更
【補正の内容】
【００５０】
図９を参照するに、一実施形態において、ロープを用しることによって、光ファイバサブアセンブリ１００に防塵キャップ１１０が結び付けられる。防塵キャップ１１０は主に、光ファイバサブアセンブリ１００がアダプタ２００に挿入される前に、粉塵及び水を防止してＦＭＣアセンブリ１５０を保護することを意図したものである。防塵キャップ１１０とハンドル１２０とがスナップ嵌めされたときに良好なシール効果を達成するために、防塵キャップ１１０の外側に防塵キャップシールリング１１１が設けられる。防塵キャップ１１０の端部に、光ファイバサブアセンブリ１００の収容キャビティが設けられる。収容キャビティは、防塵キャップ１１０の軸方向に沿って延在し、光ファイバサブアセンブリ１００内の保護フード１７０及びＦＭＣアセンブリ１５０の、外部に接続される、端部を収容することができる。防塵キャップ１１０の外表面に、少なくとも１つの係止溝１１２が設けられる。係止溝１１２の数は、ハンドル１２０上の係止構造１２０１の数に等しい。係止構造１２０１が係止溝１１２とスナップ嵌めするように構成され、その結果、防塵キャップ１１０がハンドル１２０に固定される。
【手続補正７】
【補正対象書類名】明細書
【補正対象項目名】００５６
【補正方法】変更
【補正の内容】
【００５６】
図１０ｂ及び図１０ｃを参照するに、一実施形態において、固定スリーブ１７２がスピンドル１６０に挿入された後に固定スリーブ１７２がスピンドル１６０内で回転することを防止するため、及び固定スリーブ１７２がスピンドル１６０内にスライドすることを防止するために、保護フード１７０に近いスピンドル１６０の端面に位置決めスロット１６０２が設けられる。対応して、固定スリーブ１７２に近いフード本体１７１の端面に位置決めキー１７０２が設けられる。位置決めキー１７０２が位置決めスロット１６０２に挿入され得る。確かなことには、代わりに、保護フード１７０に近いスピンドル１６０の端面に位置決めキー１７０２が設けられ、固定スリーブ１７２に近いフード本体１７１の端面に位置決めスロット１６０２が設けられてもよい。また、１つ以上のグループの位置決めキー１７０２及び位置決めスロット１６０２が存在してもよい。これは、ここで具体的に限定されることではない。
【手続補正８】
【補正対象書類名】明細書
【補正対象項目名】００６５
【補正方法】変更
【補正の内容】
【００６５】
一実施形態において、光ファイバソケット２０１の外周に第２のシュート２０１５が設けられる。シュート２０１５は螺旋状である。シュート２０１５は、ソケット２０１の端からソケット２０１の円周方向に沿って延在し、シュート２０１５の延在端が、ハンドル１２０上の係止構造１２０１にバックル留めされる。光ファイバソケット２０１の外表面に、矢印識別子と識別子“０”及び“１”とが設けられている。光ファイバサブアセンブリ１００が光ファイバソケット２０１に挿入されるときに、ハンドル１２０上のインジケーション識別子１２１がソケット２０１の矢印識別子とアライメントされるべきである。光ファイバサブアセンブリ１００が“０”の方向に回転されているとき、光ファイバサブアセンブリ１００はロック状態にある。光ファイバサブアセンブリ１００が“１”の方向に回転されているとき、光ファイバサブアセンブリ１００は解放状態にある。この実施において、シュート２０１５は、防塵キャップ１１０上の係止溝１１２の形状と同じ形状を持つとし得る。
【手続補正９】
【補正対象書類名】明細書
【補正対象項目名】００６７
【補正方法】変更
【補正の内容】
【００６７】
一実施形態において、光ファイバアダプタ２００は、アダプタ防塵キャップ２３０を含む。光ファイバアダプタ２００を収容するためのアダプタ収容キャビティが、アダプタ防塵キャップ２３０の端に設けられる。この収容キャビティは、光ファイバアダプタ２００がアダプタ防塵キャップ２３０に挿入されるときにソケット２０１を収容するように構成される。
【国際調査報告】
2022500696.tif 000020
2022500696.tif 000021
2022500696.tif 000022
2022500696.tif 000023
2022500696.tif 000024
2022500696.tif 000025
2022500696.tif 000026